【手続補正書】
【提出日】平成26年11月4日(2014.11.4)
【手続補正１】
【補正対象書類名】明細書
【補正対象項目名】発明の名称
【補正方法】変更
【補正の内容】
【発明の名称】伝送管理装置、プログラム、伝送システムおよび伝送管理方法
【手続補正２】
【補正対象書類名】明細書
【補正対象項目名】０００１
【補正方法】変更
【補正の内容】
【０００１】
本発明は、伝送管理装置、プログラム、伝送システムおよび伝送管理方法に関する。
【手続補正３】
【補正対象書類名】明細書
【補正対象項目名】０００６
【補正方法】変更
【補正の内容】
【０００６】
本発明は、上記に鑑みてなされたものであって、伝送システムにおいて送受信されるデータのセキュリティを保ちつつ、高品質なデータ伝送を実現することのできる伝送管理装置、プログラム、伝送システムおよび伝送管理方法を提供することを目的とする。
【手続補正４】
【補正対象書類名】明細書
【補正対象項目名】０００７
【補正方法】変更
【補正の内容】
【０００７】
上述した課題を解決し、目的を達成するために、本発明は、伝送管理装置であって、ネットワークに接続された複数の伝送端末のうち第１の伝送端末から、前記複数の伝送端末のうち第２の伝送端末との通信を要求する通信要求を受信する受信部と、前記通信要求の内容に応じて、前記第１の伝送端末または前記第２の伝送端末に関連付けられた中継装置から、前記第１の伝送端末および前記第２の伝送端末から送信されるデータを中継する前記中継装置を選択する中継装置選択部と、前記中継装置選択部により選択された前記中継装置を中継するデータの暗号化の要否を判断する判断部と、前記判断部による判断結果を、前記第１の伝送端末および前記第２の伝送端末に送信する送信部と、を備えることを特徴とする。
【手続補正５】
【補正対象書類名】明細書
【補正対象項目名】０００８
【補正方法】変更
【補正の内容】
【０００８】
また、本発明は、ネットワークに接続された複数の伝送端末のうち第１の伝送端末から、前記複数の伝送端末のうち第２の伝送端末との通信を要求する通信要求を受信する受信ステップと、前記通信要求の内容に応じて、前記第１の伝送端末または前記第２の伝送端末に関連付けられた中継装置から、前記第１の伝送端末および前記第２の伝送端末から送信されるデータを中継する前記中継装置を選択する中継装置選択ステップと、前記中継装置選択ステップにおいて選択した前記中継装置を中継するデータの暗号化の要否を判断する判断ステップと、前記判断ステップにおける判断結果を、前記第１の伝送端末および前記第２の伝送端末に送信する送信ステップとをコンピュータに実行させるためのプログラムである。
【手続補正６】
【補正対象書類名】明細書
【補正対象項目名】０００９
【補正方法】変更
【補正の内容】
【０００９】
また、本発明は、ネットワークを介してデータの伝送を行う複数の伝送端末を備えた伝送システムであって、前記複数の伝送端末のうち第１の伝送端末から、前記複数の伝送端末のうち第２の伝送端末との通信を要求する通信要求を受信する第１の受信部と、前記通信要求の内容に応じて、前記第１の伝送端末または前記第２の伝送端末に関連付けられた中継装置から、前記第１の伝送端末および前記第２の伝送端末から送信されるデータを中継する前記中継装置を選択する中継装置選択部と、前記中継装置選択部により選択された前記中継装置を中継するデータの暗号化の要否を判断する判断部と、前記判断部による判断結果を、前記第１の伝送端末および前記第２の伝送端末に送信する送信部と、を備え、前記第１の伝送端末および前記第２の伝送端末は、前記送信部によって送信された前記判断結果を受信する第２の受信部と、前記第２の受信部が受信した前記判断結果が前記暗号化が必要であることを示す場合に、データを暗号化する暗号処理部と、をそれぞれ備え、前記第１の伝送端末および前記第２の伝送端末は、それぞれ、前記暗号処理部によって暗号化されたデータを、前記第２の受信部によって受信された前記判断結果に対応する前記中継装置に送信することを特徴とする。
【手続補正７】
【補正対象書類名】明細書
【補正対象項目名】００１０
【補正方法】変更
【補正の内容】
【００１０】
また、本発明は、伝送管理方法であって、ネットワークに接続された複数の伝送端末のうち第１の伝送端末から、前記複数の伝送端末のうち第２の伝送端末との通信を要求する通信要求を受信する受信ステップと、前記通信要求の内容に応じて、前記第１の伝送端末または前記第２の伝送端末に関連付けられた中継装置から、前記第１の伝送端末および前記第２の伝送端末から送信されるデータを中継する前記中継装置を選択する中継装置選択ステップと、前記中継装置選択ステップにおいて選択した前記中継装置を中継するデータの暗号化の要否を判断する判断ステップと、前記判断ステップにおける判断結果を、前記第１の伝送端末および前記第２の伝送端末に送信する送信ステップと、を含むことを特徴とする。
【手続補正８】
【補正対象書類名】明細書
【補正対象項目名】００１３
【補正方法】変更
【補正の内容】
【００１３】
以下に添付図面を参照して、伝送管理装置、プログラム、伝送システムおよび伝送管理方法の実施の形態を詳細に説明する。
【手続補正９】
【補正対象書類名】特許請求の範囲
【補正対象項目名】全文
【補正方法】変更
【補正の内容】
【特許請求の範囲】
【請求項１】
ネットワークに接続された複数の伝送端末のうち第１の伝送端末から、前記複数の伝送端末のうち第２の伝送端末との通信を要求する通信要求を受信する受信部と、
前記通信要求の内容に応じて、前記第１の伝送端末または前記第２の伝送端末に関連付けられた中継装置から、前記第１の伝送端末および前記第２の伝送端末から送信されるデータを中継する前記中継装置を選択する中継装置選択部と、
前記中継装置選択部により選択された前記中継装置を中継するデータの暗号化の要否を判断する判断部と、
前記判断部による判断結果を、前記第１の伝送端末および前記第２の伝送端末に送信する送信部と、
を備えることを特徴とする伝送管理装置。
【請求項２】
前記受信部によって受信される前記通信要求は、前記第１の伝送端末を識別する端末識別情報と、前記第２の伝送端末を識別する端末識別情報と、を含むことを特徴とする請求項１に記載の伝送管理装置。
【請求項３】
前記伝送端末を識別する端末識別情報と、前記第１の伝送端末が送受信するデータを中継する前記中継装置を識別する中継装置識別情報とを関連付けて記憶する第１の記憶部を、さらに備え、
前記中継装置選択部は、前記第１の記憶部において、前記第１の伝送端末の端末識別情報または前記第２の伝送端末の端末識別情報のいずれかに関連付けられている前記中継装置識別情報により識別される前記中継装置を選択することを特徴とする請求項１または２に記載の伝送管理装置。
【請求項４】
前記中継装置識別情報と、前記中継装置識別情報により識別される前記中継装置が送受信するデータの暗号化の要否を示す暗号化要否情報とを関連付けて記憶する第２の記憶部を、さらに備え、
前記判断部は、前記第２の記憶部において、前記中継装置選択部によって選択された前記中継装置の前記中継装置識別情報に関連付けられている前記暗号化要否情報に基づいて、暗号化の要否を判断することを特徴とする請求項１から３のいずれか一項に記載の伝送管理装置。
【請求項５】
前記第１の伝送端末が送受信するデータは、画像データまたは音声データのうち少なくとも一方を含むことを特徴とする請求項１から４のいずれか一項に記載の伝送管理装置。
【請求項６】
前記中継装置選択部は、前記第１の記憶部において、前記第１の伝送端末の端末識別情報に対応付けられており、かつ前記第２の伝送端末の端末識別情報に関連付けられている前記中継装置識別情報により識別される前記中継装置を選択することを特徴とする請求項３に記載の伝送管理装置。
【請求項７】
前記第１の記憶部は、前記中継装置識別情報に関連付けて前記中継装置の優先度をさらに記憶し、
前記中継装置選択部は、前記第１の記憶部において、前記第１の送信端末を識別する端末識別情報に関連付けられている前記中継装置識別情報により識別される前記中継装置のうち、前記優先度がより高い前記中継装置識別情報により識別される前記中継装置を選択することを特徴とする請求項３に記載の伝送管理装置。
【請求項８】
前記ネットワークは、局所的な所定の装置と接続可能な内部ネットワークと、不特定多数の装置と接続可能な外部ネットワークとを有し、
前記第２の記憶部は、前記外部ネットワークに直接接続する前記中継装置の前記中継装置識別情報に対し、暗号化が必要であることを示す前記暗号化要否情報を関連付けて記憶することを特徴とする請求項４に記載の伝送管理装置。
【請求項９】
ネットワークに接続された複数の伝送端末のうち第１の伝送端末から、前記複数の伝送端末のうち第２の伝送端末との通信を要求する通信要求を受信する受信ステップと、
前記通信要求の内容に応じて、前記第１の伝送端末または前記第２の伝送端末に関連付けられた中継装置から、前記第１の伝送端末および前記第２の伝送端末から送信されるデータを中継する前記中継装置を選択する中継装置選択ステップと、
前記中継装置選択ステップにおいて選択した前記中継装置を中継するデータの暗号化の要否を判断する判断ステップと、
前記判断ステップにおける判断結果を、前記第１の伝送端末および前記第２の伝送端末に送信する送信ステップと
をコンピュータに実行させるためのプログラム。
【請求項１０】
ネットワークを介してデータの伝送を行う複数の伝送端末を備えた伝送システムであって、
前記複数の伝送端末のうち第１の伝送端末から、前記複数の伝送端末のうち第２の伝送端末との通信を要求する通信要求を受信する第１の受信部と、
前記通信要求の内容に応じて、前記第１の伝送端末または前記第２の伝送端末に関連付けられた中継装置から、前記第１の伝送端末および前記第２の伝送端末から送信されるデータを中継する前記中継装置を選択する中継装置選択部と、
前記中継装置選択部により選択された前記中継装置を中継するデータの暗号化の要否を判断する判断部と、
前記判断部による判断結果を、前記第１の伝送端末および前記第２の伝送端末に送信する送信部と、
を備え、
前記第１の伝送端末および前記第２の伝送端末は、
前記送信部によって送信された前記判断結果を受信する第２の受信部と、
前記第２の受信部が受信した前記判断結果が前記暗号化が必要であることを示す場合に、データを暗号化する暗号処理部と、
をそれぞれ備え、
前記第１の伝送端末および前記第２の伝送端末は、それぞれ、前記暗号処理部によって暗号化されたデータを、前記第２の受信部によって受信された前記判断結果に対応する前記中継装置に送信することを特徴とする伝送システム。
【請求項１１】
ネットワークに接続された複数の伝送端末のうち第１の伝送端末から、前記複数の伝送端末のうち第２の伝送端末との通信を要求する通信要求を受信する受信ステップと、
前記通信要求の内容に応じて、前記第１の伝送端末または前記第２の伝送端末に関連付けられた中継装置から、前記第１の伝送端末および前記第２の伝送端末から送信されるデータを中継する前記中継装置を選択する中継装置選択ステップと、
前記中継装置選択ステップにおいて選択した前記中継装置を中継するデータの暗号化の要否を判断する判断ステップと、
前記判断ステップにおける判断結果を、前記第１の伝送端末および前記第２の伝送端末に送信する送信ステップと、
を含むことを特徴とする伝送管理方法。
【請求項１２】
前記受信ステップにおいて受信した前記通信要求は、前記第１の伝送端末を識別する端末識別情報と、前記第２の伝送端末を識別する端末識別情報と、を含むことを特徴とする請求項１１に記載の伝送管理方法。
【請求項１３】
前記中継装置選択ステップでは、前記伝送端末を識別する端末識別情報と、前記第１の伝送端末が送受信するデータを中継する前記中継装置を識別する中継装置識別情報とを関連付けて記憶する第１の記憶部において、前記第１の伝送端末の端末識別情報または前記第２の伝送端末の端末識別情報のいずれかに関連付けられている前記中継装置識別情報により識別される前記中継装置を選択することを特徴とする請求項１１または１２に記載の伝送管理方法。
【請求項１４】
前記判断ステップでは、前記中継装置識別情報と、前記中継装置識別情報により識別される前記中継装置が送受信するデータの暗号化の要否を示す暗号化要否情報とを関連付けて記憶する第２の記憶部において、前記中継装置選択ステップで選択した前記中継装置の前記中継装置識別情報に関連付けられている前記暗号化要否情報に基づいて、暗号化の要否を判断することを特徴とする請求項１１から１３のいずれか一項に記載の伝送管理方法。
【請求項１５】
前記第１の伝送端末が送受信するデータは、画像データまたは音声データのうち少なくとも一方を含むことを特徴とする請求項１１から１４のいずれか一項に記載の伝送管理方法。
【請求項１６】
前記中継装置選択ステップでは、前記第１の記憶部において、前記第１の伝送端末の端末識別情報に対応付けられており、かつ前記第２の伝送端末の端末識別情報に関連付けられている前記中継装置識別情報により識別される前記中継装置を選択することを特徴とする請求項１３に記載の伝送管理方法。
【請求項１７】
前記第１の記憶部は、前記中継装置識別情報に関連付けて前記中継装置の優先度をさらに記憶し、
前記中継装置選択ステップでは、前記第１の記憶部において、前記第１の送信端末を識別する端末識別情報に関連付けられている前記中継装置識別情報により識別される前記中継装置のうち、前記優先度がより高い前記中継装置識別情報により識別される前記中継装置を選択することを特徴とする請求項１３に記載の伝送管理方法。
【請求項１８】
前記ネットワークは、局所的な所定の装置と接続可能な内部ネットワークと、不特定多数の装置と接続可能な外部ネットワークとを有し、
前記第２の記憶部は、前記外部ネットワークに直接接続する前記中継装置の前記中継装置識別情報に対し、暗号化が必要であることを示す前記暗号化要否情報を関連付けて記憶することを特徴とする請求項１４に記載の伝送管理方法。